(57)【要約】【課題】第１レンズをカシメ部でレンズバレルに固定した場合でも、防水性を向上することのできるレンズユニットおよび光学装置を提供すること。【解決手段】レンズユニット１は、複数のレンズ（第１レンズ１１、第２レンズ１２、第３レンズ１３および接合レンズ１４）がレンズバレル７に保持されており、最も物体側に位置する第１レンズ１１とレンズバレル７との間にはシール部材５が設けられている。レンズバレル７は、シール部材５より物体側Ｌ１で第１レンズ１１の外周面１１０を囲む第１レンズ保持用筒部７４と、第１レンズ保持用筒部７４の物体側Ｌ１の端部で第１レンズ１１の外周側端部に物体側Ｌ１から被さって第１レンズ１１を保持するカシメ部７７とを備えている。第１レンズ保持用筒部７４には、第１レンズ１１の外周面１１０と第１レンズ保持用筒部７４の外周面とを連通させる貫通部７０が形成されている。【選択図】図１
2015210333.tif 000002
【特許請求の範囲】
【請求項１】
複数のレンズと、
該複数のレンズを内側に保持するレンズバレルと、
前記複数のレンズのうち、最も物体側に位置する第１レンズと前記レンズバレルとの間に介在するシール部材と、
を有し、
前記レンズバレルは、前記シール部材より物体側で前記第１レンズの外周面を囲む第１レンズ保持用筒部と、該第１レンズ保持用筒部の物体側の端部で前記第１レンズの外周側端部に物体側から被さって前記第１レンズを保持するカシメ部と、を備え、
前記第１レンズ保持用筒部には、前記第１レンズの外周面と前記第１レンズ保持用筒部の外周面とを連通させる貫通部が形成されていることを特徴とするレンズユニット。
【請求項２】
前記貫通部は、前記第１レンズ保持用筒部を径方向で貫通する貫通穴であることを特徴とする請求項１に記載のレンズユニット。
【請求項３】
前記貫通穴は、前記第１レンズ保持用筒部の内周面および外周面の一方側から他方に向かうに伴って内径が縮小していることを特徴とする請求項２に記載のレンズユニット。
【請求項４】
前記貫通穴は、複数が並列して形成され、
当該複数の貫通穴は、互いに平行な方向に向かって開口していることを特徴とする請求項２または３に記載のレンズユニット。
【請求項５】
前記貫通部は、前記第１レンズ保持用筒部の物体側の面に形成された溝であることを特徴とする請求項１に記載のレンズユニット。
【請求項６】
前記第１レンズの外周面には、周方向に延在する段部が形成され、
前記段部と前記第１レンズ保持用筒部の内周面との間には、周方向に延在して前記貫通部と連通する連通路が構成されていることを特徴とする請求項１乃至５の何れか一項に記載のレンズユニット。
【請求項７】
前記第１レンズの外周面には、平坦面が形成されており、
前記貫通部は、少なくとも前記平坦面の径方向外側に形成されていることを特徴とする請求項１乃至６の何れか一項に記載のレンズユニット。
【請求項８】
前記シール部材は、前記第１レンズと前記レンズバレルとによって径方向で挟まれたゴム製のＯリングからなることを特徴とする請求項１乃至７の何れか一項に記載のレンズユニット。
【請求項９】
請求項１乃至８の何れか一項に記載のレンズユニットを備えた光学装置であって、
前記レンズバレルを径方向外側で囲む胴部を備えたホルダと、
前記貫通部より像側で前記レンズバレルと前記ホルダとの間を封止する封止部と、
を有し、
前記胴部には前記封止部より物体側で前記貫通部と連通するホルダ側貫通穴が形成されていることを特徴とする光学装置。
【発明の詳細な説明】
【技術分野】
【０００１】
本発明は、レンズバレルに複数のレンズが保持されたレンズユニットおよび光学装置に関するものである。
【背景技術】
【０００２】
レンズユニットでは、図７に示すように、レンズバレル７に複数のレンズ（第１レンズ１１、第２レンズ１２、第３レンズ１３および接合レンズ１４）が保持されており、複数のレンズのうち、最も物体側Ｌ１に位置する第１レンズ１１とレンズバレル７との間にはシール部材５が配置されている。レンズバレル７は、シール部材５より物体側Ｌ１で第１レンズ１１の外周面を囲む第１レンズ保持用筒部７４と、第１レンズ保持用筒部７４の物体側Ｌ１の端部で第１レンズ１１の外周側端部に物体側Ｌ１から被さって第１レンズ１１を保持するカシメ部７７とを備えている（例えば、特許文献１参照）。
【０００３】
このように構成したレンズユニットの防水性を評価するにあたって、矢印Ｗ０で示すように、物体側Ｌ１から高圧水流を供給すると、矢印Ｗ１０で示すように、第１レンズ１１とカシメ部７７との間から第１レンズ１１の外周面１１０と第１レンズ保持用筒部７４との間に水が侵入し、侵入した水はシール部材５によって堰き止められる。その結果、侵入した水の水圧でカシメ部７７が物体側Ｌ１に変形して、第１レンズ１１が位置ずれするという問題がある。
【０００４】
そこで、第１レンズ１１の外周面１１０と第１レンズ保持用筒部７４との隙間を部分的に拡張し、流入した水による圧力を緩和する構造が提案されている（特許文献２参照）。
【先行技術文献】
【特許文献】
【０００５】
【特許文献１】特開２００８−２３３４１４号公報
【特許文献２】特開２００９−１５７１２１号公報
【発明の概要】
【発明が解決しようとする課題】
【０００６】
しかしながら、特許文献２に記載の構成を採用した場合でも、第１レンズ１１の外周面１１０と第１レンズ保持用筒部７４との間への水の侵入量が多くなると、その時の水圧でカシメ部７７が物体側Ｌ１に変形する。このため、第１レンズ１１が位置ずれするという問題を解消することができない。
【０００７】
以上の問題点に鑑みて、本発明の課題は、第１レンズをカシメ部でレンズバレルに固定した場合でも、防水性を向上することのできるレンズユニットおよび光学装置を提供することにある。
【課題を解決するための手段】
【０００８】
上記課題を解決するために、本発明に係るレンズユニットは、複数のレンズと、該複数のレンズを内側に保持するレンズバレルと、前記複数のレンズのうち、最も物体側に位置する第１レンズと前記レンズバレルとの間に介在するシール部材と、を有し、前記レンズバレルは、前記シール部材より物体側で前記第１レンズの外周面を囲む第１レンズ保持用筒部と、該第１レンズ保持用筒部の物体側の端部で前記第１レンズの外周側端部に物体側から被さって前記第１レンズを保持するカシメ部と、を備え、前記第１レンズ保持用筒部には、前記第１レンズの外周面と前記第１レンズ保持用筒部の外周面とを連通させる貫通
部が形成されていることを特徴とする。
【０００９】
本発明では、物体側から高圧水流を供給した際に、第１レンズとカシメ部との間から第１レンズの外周面と第１レンズ保持用筒部との間に水が侵入しても、かかる水は、貫通部から排出される。このため、第１レンズの外周面と第１レンズ保持用筒部との間において水圧が低く抑えられるため、水圧によってカシメ部が変形することを抑制することができる。従って、物体側から高圧水流を供給しても第１レンズの位置ずれが発生しにくい等、防水性を高めることができる。また、貫通部によって水圧を低下させるため、カシメ部の径方向の幅を拡張してカシメ部の強度を高める必要がない。このため、カシメ部によって、第１レンズに対する入射角度範囲が制限されることを抑制することができる。
【００１０】
本発明において、前記貫通部は、前記第１レンズ保持用筒部を径方向で貫通する貫通穴であることが好ましい。かかる構成によれば、貫通穴を介して第１レンズに光が入射しにくい。
【００１１】
本発明において、前記貫通穴は、前記第１レンズ保持用筒部の内周面および外周面の一方側から他方に向かうに伴って内径が縮小していることが好ましい。かかる構成によれば、貫通穴を介して第１レンズに光が入射するのをより抑制することができる。
【００１２】
本発明において、前記貫通穴は、複数が並列して形成され、当該複数の貫通穴は、互いに平行な方向に向かって開口していることが好ましい。かかる構成によれば、レンズバレルを樹脂成形する際、金型において複数の貫通穴を形成するための凸部を平行に突出させればよいので、二次加工や複雑な金型を用いなくても、レンズバレルに複数の貫通穴を設けることができる。
【００１３】
本発明において、前記貫通部は、前記第１レンズ保持用筒部の物体側の面に形成された溝であってもよい。かかる構成によれば、レンズバレルを樹脂成形する際に用いる金型の構成を簡素化することができる。
【００１４】
本発明において、前記第１レンズの外周面には、周方向に延在する段部が形成され、前記段部と前記第１レンズ保持用筒部の内周面との間には、周方向に延在して前記貫通部と連通する連通路が構成されていることが好ましい。かかる構成によれば、レンズバレルの外周面と第１レンズ保持用筒部との間に侵入した水を連通路を介して貫通部に導き、貫通部から排出することができる。
【００１５】
本発明において、前記第１レンズの外周面には、平坦面が形成されており、前記貫通部は、少なくとも前記平坦面の径方向外側に形成されていることが好ましい。第１レンズを樹脂成形等により形成する際、第１レンズの外周面には、ゲートに相当する部分に平坦面が形成される。この場合、第１レンズの外周面のうち、平坦面となっている部分に水が侵入しやすいが、かかる部分に貫通部を設けておけば、水圧が低く抑えられる。このため、水圧によってカシメ部が変形することを抑制することができるので、物体側から高圧水流を供給しても第１レンズの位置ずれが発生しにくい等、防水性を高めることができる。
【００１６】
本発明において、前記シール部材は、前記第１レンズと前記レンズバレルとによって径方向で挟まれたゴム製のＯリングからなることが好ましい。かかる構成によれば、Ｏリングの反発力が第１レンズを物体側に押圧する力として作用しにくいので、カシメ部が物体側に変形しにくい。また、カシメ部が物体側に多少変形しても、第１レンズの脱落が発生しにくい。
【００１７】
本発明に係るレンズユニットを備えた光学装置は、前記レンズバレルを径方向外側で囲
む胴部を備えたホルダと、前記貫通部より像側で前記レンズバレルと前記ホルダとの間を封止する封止部と、を有し、前記胴部には前記封止部より物体側で前記貫通部と連通するホルダ側貫通穴が形成されていることが好ましい。かかる構成によれば、レンズユニットにおいて貫通部から排出した水をホルダ側貫通穴から排出することができる。
【発明の効果】
【００１８】
本発明では、物体側から高圧水流を供給した際に、第１レンズとカシメ部との間からレンズバレルの外周面と第１レンズ保持用筒部との間に水が侵入しても、かかる水は、貫通部から排出される。このため、第１レンズの外周面と第１レンズ保持用筒部との間において水圧が低く抑えられるため、水圧によってカシメ部が変形することを抑制することができる。従って、物体側から高圧水流を供給しても第１レンズの位置ずれが発生しにくい等、防水性を高めることができる。
【図面の簡単な説明】
【００１９】
【図１】本発明を適用したレンズユニットの説明図である。
【図２】本発明の実施の形態１に係るレンズユニットの防水構造を示す説明図である。
【図３】本発明の実施の形態１の改良例１に係るレンズユニットの防水構造を示す説明図である。
【図４】本発明の実施の形態１の改良例２に係るレンズユニットの防水構造を示す説明図である。
【図５】本発明の実施の形態１の改良例３に係るレンズユニットの防水構造を示す説明図である。
【図６】本発明の実施の形態２に係るレンズユニットを物体側からみた斜視図である。
【図７】本発明の参考例に係るレンズユニットの説明図である。
【発明を実施するための形態】
【００２０】
図面を参照して、本発明の実施の形態を説明する。
【００２１】
［実施の形態１］
（レンズユニットの構成）
図１は、本発明の実施の形態１に係るレンズユニット１の説明図であり、図１（ａ）、（ｂ）は、レンズユニット１を物体側からみた斜視図、およびレンズユニット１の断面図である。
【００２２】
図１に示すように、本形態のレンズユニット１は、光軸Ｌ方向に複数のレンズが配置された広角レンズ１０と、広角レンズ１０を内側に保持する筒状のレンズバレル７とを有しており、撮像装置等の光学装置１００に用いられる。本形態において、レンズバレル７は樹脂製である。
【００２３】
広角レンズ１０は、例えば１９０°である。広角レンズ１０は、例えば、４群のレンズ群を備えている。より具体的には、広角レンズ１０は、物体側（被写体側／前側）から順に、負のパワーを持つ第１レンズ１１からなる第１レンズ群と、負のパワーを持つ第２レンズ１２からなる第２レンズ群と、正のパワーを有する第３レンズ１３からなる第３レンズ群と、正のパワーを有する接合レンズ１４からなる第４レンズ群とを有している。第１レンズ１１はガラスレンズまたはプラスチックレンズからなり、本形態において、第１レンズ１１はプラスチックレンズからなる。このため、第１レンズ１１の外周面１１０には、ゲートに相当する部分に平坦面１１４が形成されている。第２レンズ１２および第３レンズ１３はプラスチックレンズからなる。接合レンズ１４は、負のパワーを有するプラスチックレンズからなる第４レンズ１５と、正のパワーを有するプラスチックレンズからなる第５レンズ１６との接合レンズである。レンズユニット１は、第３レンズ１３と第４レ
ンズ１５との間に絞り１８を有している。また、レンズユニット１は、接合レンズ１４より像側Ｌ２に赤外線カットフィルタ１７を有している。
【００２４】
（レンズバレル７の構成等）
第１レンズ１１は、第２レンズ１２、第３レンズ１３、および接合レンズ１４より外径寸法が大きい。第２レンズ１２、第３レンズ１３および接合レンズ１４は外径寸法が略等しく、接合レンズ１４において、第４レンズ１５は、第５レンズ１６より外形寸法が大きい。
【００２５】
かかる形状に対応して、レンズバレル７は、像側Ｌ２に位置する第１筒部７１と、第１筒部７１より物体側Ｌ１に位置する第２筒部７２とを有しており、第２筒部７２は、第１筒部７１と内径が略等しいが、第１筒部７１より内径肉厚が小である。また、レンズバレル７は、第２筒部７２の径方向外側で物体側Ｌ１に突出した第３筒部７３と、第３筒部７３から物体側Ｌ１に突出した第１レンズ保持用筒部７４とを有しており、第２筒部７２と、第３筒部７３との間には物体側Ｌ１に向けて開口する凹部７５が形成されている。本形態において、第１レンズ保持用筒部７４は、内径が第３筒部７３より大であるため、第１レンズ保持用筒部７４の内周面７４０と第３筒部７３の内周面との間には、物体側Ｌ１に向いた段部７６が形成されている。ここで、第１レンズ保持用筒部７４の内周面７４０は、光軸Ｌと平行であるのに対して、第１レンズ保持用筒部７４の外周面７４５の物体側Ｌ１に位置する部分は、像側Ｌ２から物体側Ｌ１に向けて傾いた斜面になっている。
【００２６】
レンズバレル７において、第１レンズ保持用筒部７４の物体側Ｌ１の端部は肉薄部分７４９になっており、かかる肉薄部分７４９は、後述するカシメ工程で径方向内側に変形してカシメ部７７になっている。カシメ部７７は、第１レンズ１１の外周側端部に物体側Ｌ１から被さって第１レンズ１１を保持している。
【００２７】
（レンズの固定構造）
以下、レンズユニット１の製造方法を説明しながら、レンズバレル７に対するレンズの固定構造を説明する。
【００２８】
まず、第４レンズ１５と第５レンズ１６とを接合した接合レンズ１４を物体側Ｌ１からレンズバレル７の第１筒部７１の内側に圧入する。ここで、第４レンズ１５は、第５レンズ１６より大径であるため、第４レンズ１５（接合レンズ１４）の外周端部は第１筒部７１の段部７１１で支持される。
【００２９】
次に、絞り１８を第４レンズ１５に重ねた後、レンズバレル７の第１筒部７１と第２筒部７２との境界部分の内側に第３レンズ１３を圧入する。
【００３０】
次に、第２レンズ１２をレンズバレル７の第２筒部７２の内側に配置した後、第２筒部７２の物体側Ｌ１の端部を内側に加熱変形させて、第２レンズ１２の外周端部に被せ、第２レンズ１２を第３レンズ１３の側に押し付け固定する。
【００３１】
次に、レンズバレル７の第１レンズ保持用筒部７４の内側に第１レンズ１１を配置する。ここで、第１レンズ１１は、第１面１１１側（物体側Ｌ１）は全体が連続した湾曲面になっている。これに対して、第２面１１２側（像側Ｌ２）は、径方向内側から径方向外側に向けてレンズ面を構成する凹曲面１１６、光軸Ｌに直交する環状の第１フランジ部１１７、および第１フランジ部１１７より像側Ｌ２に突出した筒状の凸部１１８を備えており、凸部１１８より径方向外側は、光軸Ｌ方向において、第１フランジ部１１７と凸部１１８の最も像側Ｌ２の端部との間に位置する環状の第２フランジ部１１９になっている。本形態において、凸部１１８は、内周面が光軸Ｌに対して斜めに傾いた斜面になっている一
方、外周面は光軸Ｌに対して平行な面になっている。
【００３２】
レンズバレル７において、第３筒部７３は、像側Ｌ２に位置する第１部分７３１と物体側Ｌ１に位置する第２部分７３２とからなり、第２部分７３２は、第１部分７３１と外径が等しいが、内径が大になっており、第２部分７３２は、第１レンズ１１の凸部１１８と径方向外側で平行に対向している。
【００３３】
そこで、本形態では、第１レンズ１１の凸部１１８の外側にゴム製のＯリング５０からなるシール部材５を装着した後、第１レンズ１１を第１レンズ保持用筒部７４の内側に配置する。その結果、第１レンズ１１の第２フランジ部１１９は、レンズバレル７において第１レンズ保持用筒部７４の内周面と第３筒部７３の内周面との間に形成されている段部７６に当接し、第１レンズ１１は、光軸Ｌ方向で位置決めされる。
【００３４】
また、シール部材５は、レンズバレル７の第３筒部７３の第２部分７３２と第１レンズ１１の凸部１１８との間において径方向で圧縮され、第１レンズ１１とレンズバレル７との間をシールする。
【００３５】
次に、カシメ工程では、第１レンズ保持用筒部７４の物体側Ｌ１の端部（肉薄部分７４９）を径方向内側に加熱変形させて、第１レンズ１１の外周側端部に物体側Ｌ１から被さって第１レンズ１１を保持するカシメ部７７を形成する。その結果、レンズユニット１が完成する。
【００３６】
この状態で、第１レンズ保持用筒部７４の内周面７４０は、第１レンズ１１の外周面１１０にわずかな隙間を介して径方向外側で重なる。
【００３７】
ここで、第１レンズ１１を樹脂成形等により形成する際、第１レンズ１１の外周面１１０には、ゲートに相当する部分に平坦面１１４が形成されるため、物体側Ｌ１からみたとき、第１レンズ１１は、Ｄ字形状を有している。このため、第１レンズ１１の平坦面１１４に相当する部分と第１レンズ保持用筒部７４の内周面７４０との隙間は、第１レンズ１１の円弧状に湾曲している部分と第１レンズ保持用筒部７４の内周面７４０との隙間より広い。
【００３８】
（光学装置１００の構成）
本形態のレンズユニット１を光学装置１００に用いる際、レンズユニット１は、レンズバレル７を径方向外側で囲む胴部２０を備えたホルダ２に搭載される。ここで、ホルダ２の胴部２０は、像側Ｌ２に位置する第１胴部２１と、第１胴部２１より物体側Ｌ１に位置する第２胴部２２とを備えており、第２胴部２２は、外径が第１胴部２１と等しいが、内径は第１胴部２１とより大である。従って、レンズバレル７の第１筒部７１の外周面に雄ねじ７１０を形成しておく一方、ホルダ２の第１胴部２１の内周面に雌ねじ２１０を形成しておけば、雄ねじ７１０および雌ねじ２１０によって、レンズバレル７の第１筒部７１をホルダ２の第１胴部２１に固定することができる。このように構成した状態で、レンズバレル７の第３筒部７３は、ホルダ２の第１胴部２１と第２胴部２２との間に形成された段部２５に当接し、ホルダ２の胴部２０の第２胴部２２は、レンズバレル７の第１レンズ保持用筒部７４を径方向外側で囲む。
【００３９】
ここで、ホルダ２の第１胴部２１と第２胴部２２との境界部分には段部２３が形成されている。従って、レンズバレル７の第１筒部７１をホルダ２の第１胴部２１に固定する際、第１筒部７１にゴム製のＯリング６０を装着しておけば、Ｏリング６０によって、レンズバレル７の第１筒部７１とホルダ２の第１胴部２１との間を封止する封止部６が形成される。
【００４０】
（防水構造）
図２は、本発明の実施の形態１に係るレンズユニット１の防水構造を示す説明図である。図１および図２に示すように、本形態のレンズユニット１のレンズバレル７において、シール部材５より物体側Ｌ１で第１レンズ１１の外周面１１０を囲む第１レンズ保持用筒部７４には、第１レンズ１１の外周面１１０と第１レンズ保持用筒部７４の外周面７４５とを連通させる貫通部７０が形成されている。本形態において、貫通部７０は、径方向に延在して第１レンズ保持用筒部７４を径方向で貫通する貫通穴７０ａである。
【００４１】
ここで、貫通部７０（貫通穴７０ａ）は、例えば、周方向の２個所に形成されており、２個所に形成された貫通部７０（貫通穴７０ａ）の一方は、第１レンズ１１の外周面１１０のうち、平坦面１１４の径方向外側に形成されている。
【００４２】
また、図１（ｂ）に示す光学装置１００において、ホルダ２において、レンズバレル７の第１レンズ保持用筒部７４を径方向外側で囲む第２胴部２２には、貫通部７０の径方向外側で第２胴部２２を径方向に貫通するホルダ側貫通穴２８が形成されている。
【００４３】
（本形態の主な効果）
以上説明したレンズユニット１において、図２に矢印Ｗ０で示すように、物体側Ｌ１から高圧水流を供給すると、矢印Ｗ１で示すように、第１レンズ１１とカシメ部７７との間から第１レンズ１１の外周面１１０と第１レンズ保持用筒部７４との間に水が侵入し、矢印Ｗ２で示すように、シール部材５まで到達することがある。このような状態となると、さらなる水の侵入によって、カシメ部７７には物体側Ｌ１に向かう水圧が加わる。しかるに本形態では、シール部材５より物体側Ｌ１では、第１レンズ保持用筒部７４に、第１レンズ１１の外周面１１０と第１レンズ保持用筒部７４の外周面７４５とを連通させる貫通部７０が形成されている。このため、矢印Ｗ３で示すように、第１レンズ１１の外周面１１０と第１レンズ保持用筒部７４との間から水が貫通部７０を介して排出される。従って、第１レンズ１１の外周面１１０と第１レンズ保持用筒部７４との間において水圧が低く抑えられるため、水圧によってカシメ部７７が物体側Ｌ１に変形することを抑制することができる。それ故、物体側Ｌ１から高圧水流を供給しても第１レンズ１１の位置ずれが発生しにくい等、防水性を高めることができる。よって、レンズユニット１および光学装置１００を車外に監視カメラ等として搭載した場合、洗車時に高水圧の洗浄水が噴射されても、レンズユニット１および光学装置１００に不具合が発生しにくい。
【００４４】
また、貫通部７０によって水圧を低下させるため、カシメ部７７の径方向の幅を拡張してカシメ部７７の強度を高める必要がない。このため、カシメ部７７によって、第１レンズ１１に対する入射角度範囲が制限されることを抑制することができる。
【００４５】
また、図１（ｂ）に示す光学装置１００において、ホルダ２において、レンズバレル７の第１レンズ保持用筒部７４を径方向外側で囲む第２胴部２２にはホルダ側貫通穴２８が形成されている。このため、光学装置１００の状態で物体側Ｌ１から高圧水流が吹き付けられた際に貫通部７０から水が排出されても、かかる水をホルダ側貫通穴２８から排出することができる。
【００４６】
また、レンズバレル７において、貫通部７０は、少なくとも平坦面１１４の径方向外側に形成されている。第１レンズ１１を樹脂成形等により形成する際、第１レンズ１１の外周面１１０には、ゲートに相当する部分に平坦面１１４が形成され、かかる平坦面１１４となっている部分に水が侵入しやすい。しかるに本形態では、平坦面１１４が原因で水が侵入しやすい個所に貫通部７０が設けられているので、第１レンズ１１の外周面１１０と第１レンズ保持用筒部７４との間から貫通部７０を経由して水を排出しやすい。従って、
第１レンズ１１の外周面１１０と第１レンズ保持用筒部７４との間では、平坦面１１４付近でも、水圧が低く抑えられるため、水圧によってカシメ部７７が物体側Ｌ１に変形することを抑制することができる。
【００４７】
また、本形態において、貫通部７０は径方向外側のみに開口する貫通穴７０ａであるため、貫通部７０を介して第１レンズ１１に光が入射しにくい。それ故、レンズユニット１の内部では、迷光が発生しにくい。
【００４８】
また、シール部材５は、第１レンズ１１とレンズバレル７とによって径方向で挟まれたゴム製のＯリング５０からなる。このため、Ｏリング５０の反発力が第１レンズ１１を物体側Ｌ１に押圧する力として作用しにくいので、カシメ部７７が物体側Ｌ１に変形しにくい。また、カシメ部７７が物体側Ｌ１に多少変形しても、第１レンズ１１の脱落が発生しにくい。
【００４９】
［実施の形態１の改良例１］
図３は、本発明の実施の形態１の改良例１に係るレンズユニット１の防水構造を示す説明図である。なお、本形態および後述する各実施の形態の基本的な構成は、実施の形態１と同様であるため、共通する部分には同一の符号を付して図示し、それらの説明を省略する。実施の形態１において、貫通部７０は、同一の内径をもって径方向に延在する貫通穴７０ａであったが、図３に示すように、貫通部７０は、第１レンズ保持用筒部７４の内周面７４０および外周面７４５の一方側から他方に向かうに伴って内径が縮小している貫通穴７０ａであることが好ましい。例えば、貫通部７０は、第１レンズ保持用筒部７４の外周面７４５から内周面７４０に向かうに伴って内径が縮小している貫通穴７０ａである。かかる構成によれば、貫通穴７０ａを介して第１レンズ１１に光が入射することをより抑制することができるので、レンズユニット１の内部では、迷光が発生しにくい。
【００５０】
［実施の形態１の改良例２］
図４は、本発明の実施の形態１の改良例２に係るレンズユニット１の防水構造を示す説明図である。実施の形態１においては、周方向の複数個所に貫通部７０（貫通穴７０ａ）が１つずつ形成されていたが、図４に示すように、各個所に複数の貫通穴７０ａが並列して形成されていることが好ましい。かかる構成によれば、貫通穴７０ａを介して水を効率よく排出することができる。
【００５１】
この場合、図４に矢印Ｒで示すように、複数の貫通穴７０ａは、互いに平行な方向に向かって開口していることが好ましい。かかる構成によれば、レンズバレル７を樹脂成形する際、金型において複数の貫通穴７０ａを形成するための凸部を平行に突出させ、離型の際には、矢印Ｒで示すように金型を移動させればよい。従って、二次加工や複雑な金型を用いなくても、レンズバレル７に複数の貫通穴７０ａを設けることができる。
【００５２】
［実施の形態１の改良例３］
図５は、本発明の実施の形態１の改良例３に係るレンズユニット１の防水構造を示す説明図である。図５に示すように、第１レンズ１１の外周面１１０には、周方向に延在する段部１１５が形成されており、段部１１５と第１レンズ保持用筒部７４の内周面７４０との間には、周方向に延在して貫通部７０（貫通穴７０ａ）と連通する連通路７８が構成されている。本形態において、段部１１５は、第１レンズ１１の外周面１１０のうち、像側Ｌ２の端部において全周に形成されている。このため、連通路７８は円環状に形成されている。
【００５３】
従って、第１レンズ１１の外周面１１０と第１レンズ保持用筒部７４との間のいずれの位置に侵入した水であっても、連通路７８を介して貫通部７０に導き、貫通部７０から排
出することができる。
【００５４】
［実施の形態２］
図６は、本発明の実施の形態２に係るレンズユニット１を物体側Ｌ１からみた斜視図である。実施の形態１において、貫通部７０は、第１レンズ保持用筒部７４を径方向に貫通する貫通穴７０ａであったが、図６に示すように、本形態において、貫通部７０は、第１レンズ保持用筒部７４の物体側の面に形成された切り欠き状の溝７０ｂからなる。
【００５５】
かかる構成によれば、物体側Ｌ１から高圧水流を供給した際、水は、溝７０ｂ（貫通部７０）を通って径方向外側に逃げる。また、第１レンズ１１とカシメ部７７との間から第１レンズ１１の外周面１１０と第１レンズ保持用筒部７４との間に水が侵入した場合でも、水は、溝７０ｂ（貫通部７０）を通って径方向外側に逃げる。このため、第１レンズ１１の外周面１１０と第１レンズ保持用筒部７４との間において水圧が低く抑えられるため、水圧によってカシメ部７７が物体側Ｌ１に変形することを抑制することができる。従って、物体側Ｌ１から高圧水流を供給しても第１レンズ１１の位置ずれが発生しにくい等、防水性を高めることができる。
【００５６】
また、溝７０ｂからなる貫通部７０であれば、貫通穴７０ａを形成する場合より、レンズバレル７を樹脂成形する際に用いる金型の構成を簡素化することができる。
【符号の説明】
【００５７】
１  レンズユニット
２  ホルダ
２０  胴部
２８  ホルダ側貫通穴
５  シール部材
５０  Ｏリング
６  封止部
６０  Ｏリング
１０  広角レンズ
１１  第１レンズ
１１０  第１レンズの外周面
１１４  平坦面
１１５  段部
７  レンズバレル
７０  貫通部
７０ａ  貫通穴
７０ｂ  溝
７４  第１レンズ保持用筒部
７４０  第１レンズ保持部の内周面
７４５  第１レンズ保持用筒部の外周面
７７  カシメ部
７８  連通路
１００  光学装置
Ｌ  光軸
Ｌ１  物体側
Ｌ２  像側
【図１】
2015210333.tif 000003
【図２】
2015210333.tif 000004
【図３】
2015210333.tif 000005
【図４】
2015210333.tif 000006
【図５】
2015210333.tif 000007
【図６】
2015210333.tif 000008
【図７】
2015210333.tif 000009